【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
通信プロトコルに従うレスポンダデバイスとのワイヤレス通信のためのイニシエータデバイスであって、
前記通信プロトコルが、
前記イニシエータデバイスによる前記レスポンダデバイスの片側認証、並びに
前記イニシエータデバイスによる前記レスポンダデバイスの及び前記レスポンダデバイスによる前記イニシエータデバイスの相互認証
のうちの１つである認証を適応させるための認証プロトコルを含み、
前記レスポンダデバイスが、
前記通信プロトコルに従うワイヤレス通信のためのレスポンダトランシーバと、
前記通信プロトコルを処理するためのレスポンダプロセッサとを備え、
前記イニシエータデバイスが、
前記通信プロトコルに従うワイヤレス通信のためのイニシエータトランシーバと、
前記通信プロトコルを処理するためのイニシエータプロセッサとを備え、
前記イニシエータプロセッサが、
前記レスポンダデバイスに送られることになるメッセージを作成することと、前記認証プロトコルに従って前記レスポンダデバイスから受信されたメッセージを分解することとを行うためのイニシエータメッセージユニットと、
ユーザ対話と前記レスポンダデバイスから受信されたメッセージとに応じて前記認証プロトコルに従ってイニシエータ状態を与えるためのイニシエータステートマシンとを備え、前記イニシエータ状態は、
イニシエータ帯域外アクションを介して前記レスポンダデバイスからレスポンダ公開鍵を取得することによるブートストラッピングのための初期状態（ＩＳＴ）と、
前記ブートストラッピングが前記レスポンダ公開鍵を取得することによって正常に実行されたことを示すブートストラップ済み状態（ＢＳＴ）と、
前記認証が正常に実行されたことを示す認証済み状態（ＡＴＤ）と
を含み、
前記イニシエータメッセージユニットは、
前記ブートストラップ済み状態で送られることになり、イニシエータ公開鍵を検証するためのイニシエータベリファイアと前記レスポンダ公開鍵を検証するためのレスポンダベリファイアとを含む認証要求
を含むメッセージを作成し、
前記レスポンダ公開鍵に対応するレスポンダプライベート鍵に基づくレスポンダ片側認証データと、前記レスポンダデバイスがレスポンダ帯域外アクションを介して前記イニシエータデバイスから前記イニシエータ公開鍵を取得することを可能にするための前記相互認証が進行中であることを示す相互進行ステータスとを含む認証応答
を含むメッセージを分解し、
前記イニシエータステートマシンが、待機中相互認証のために、前記相互進行ステータスを受信するとつくことになる、相互認証中状態を与え、
前記イニシエータメッセージユニットが、
前記イニシエータ公開鍵と前記レスポンダプライベート鍵とに基づく相互レスポンダ認証データを含む相互認証応答
を分解し、
前記相互認証の確認を示す相互確認ステータスと、前記レスポンダ公開鍵と前記イニシエータ公開鍵に対応するイニシエータプライベート鍵とに基づく相互イニシエータ認証データとを含む相互認証確認
を作成する、イニシエータデバイス。
【請求項２】
前記イニシエータステートマシンは、前記相互認証応答を受信し、前記イニシエータプロセッサが前記レスポンダ公開鍵と前記イニシエータ公開鍵に対応するイニシエータプライベート鍵とに基づく前記相互レスポンダ認証データを正常に処理すると、前記認証済み状態につく、請求項１に記載のイニシエータデバイス。
【請求項３】
前記イニシエータメッセージユニットが、前記片側認証の場合、前記レスポンダ公開鍵に対応するレスポンダプライベート鍵に基づく片側レスポンダ認証データと、前記片側認証を示す片側ステータスとを含む片側認証応答を分解し、
前記イニシエータステートマシンは、前記イニシエータプロセッサが前記レスポンダ公開鍵とイニシエータ公開鍵に対応するイニシエータプライベート鍵とに基づく前記片側レスポンダ認証データを正常に処理すると、前記認証済み状態につく、
請求項１に記載のイニシエータデバイス。
【請求項４】
前記イニシエータステートマシンは、前記認証応答を受信し、前記イニシエータプロセッサが前記レスポンダ片側認証データを正常に処理しないと、前記ブートストラップ済み状態又は前記初期状態につく、
請求項２又は３に記載のイニシエータデバイス。
【請求項５】
前記イニシエータステートマシンは、前記相互認証応答を受信し、前記イニシエータプロセッサが前記相互レスポンダ認証データを正常に処理しないと、前記ブートストラップ済み状態又は前記初期状態につく、
請求項２に記載のイニシエータデバイス。
【請求項６】
前記イニシエータメッセージユニットが、前記相互進行ステータスを受信すると、相互待機中ステータスを含む待機中認証確認を作成する、
請求項２又は５に記載のイニシエータデバイス。
【請求項７】
通信プロトコルに従うイニシエータデバイスとのワイヤレス通信のためのレスポンダデバイスであって、
前記通信プロトコルが、
前記イニシエータデバイスによる前記レスポンダデバイスの片側認証、並びに
前記イニシエータデバイスによる前記レスポンダデバイスの及び前記レスポンダデバイスによる前記イニシエータデバイスの相互認証
のうちの１つである認証を適応させるための認証プロトコルを含み、
前記イニシエータデバイスが、
前記通信プロトコルに従うワイヤレス通信のためのイニシエータトランシーバと、
前記通信プロトコルを処理するためのイニシエータプロセッサとを備え、
前記レスポンダデバイスが、
前記通信プロトコルに従うワイヤレス通信のためのレスポンダトランシーバと、
前記通信プロトコルを処理するためのレスポンダプロセッサとを備え、前記レスポンダプロセッサが、
前記イニシエータデバイスに送られることになるメッセージを作成することと、前記認証プロトコルに従って前記イニシエータデバイスから受信されたメッセージを分解することとを行うためのレスポンダメッセージユニットと、
ユーザ対話と前記イニシエータデバイスから受信されたメッセージとに応じて前記認証プロトコルに従ってレスポンダ状態を与えるためのレスポンダステートマシンとを備え、前記レスポンダ状態は、
前記イニシエータデバイスからメッセージを受信するための待機中状態と、
前記認証が正常に実行されたことを示すレスポンダ認証済み状態と
を含み、
前記レスポンダステートマシンは、前記レスポンダデバイスがレスポンダ帯域外アクションを介して前記イニシエータデバイスからイニシエータ公開鍵を取得することを可能にするための相互レスポンダ認証中状態を与え、
前記レスポンダメッセージユニットは、
レスポンダ公開鍵に対応するレスポンダプライベート鍵に基づく片側レスポンダ認証データと、前記相互認証が進行中であることを示す相互進行ステータスとを含む認証応答
を含むメッセージを作成し、
イニシエータ公開鍵を検証するためのイニシエータベリファイアと前記レスポンダ公開鍵を検証するためのレスポンダベリファイアとを含む認証要求
を含むメッセージを分解し、
前記レスポンダステートマシンは、前記レスポンダプロセッサが前記イニシエータ公開鍵と前記レスポンダプライベート鍵とに基づくイニシエータ認証データを正常に処理すると、前記レスポンダ認証済み状態につく、レスポンダデバイス。
【請求項８】
前記レスポンダメッセージユニットが、
前記相互レスポンダ認証中状態で送られるべき相互認証応答であって、前記イニシエータ公開鍵と前記レスポンダ公開鍵に対応するレスポンダプライベート鍵とに基づく相互レスポンダ認証データを含む相互認証応答
を作成し、
前記相互認証の確認を示す相互確認ステータスと、前記レスポンダ公開鍵と前記イニシエータ公開鍵に対応するイニシエータプライベート鍵とに基づく相互イニシエータ認証データとを含む相互認証確認
を分解する、請求項７に記載のレスポンダデバイス。
【請求項９】
前記レスポンダメッセージユニットが、前記片側認証の場合、前記レスポンダ公開鍵に対応するレスポンダプライベート鍵に基づく片側レスポンダ認証データと、前記片側認証を示す片側ステータスとを含む片側認証応答を作成し、
前記レスポンダステートマシンは、前記片側認証の場合、片側認証確認を受信し、前記レスポンダプロセッサが片側イニシエータ認証データを正常に処理すると、前記レスポンダ認証済み状態につく、
請求項７又は８に記載のレスポンダデバイス。
【請求項１０】
前記レスポンダステートマシンは、前記相互認証確認を受信し、前記レスポンダプロセッサが前記相互イニシエータ認証データを正常に処理しないと、前記待機中状態につく、
請求項８に記載のレスポンダデバイス。
【請求項１１】
前記レスポンダメッセージユニットが、相互待機中ステータスを含む待機中相互認証確認を分解し、
前記レスポンダステートマシンが、前記相互待機中ステータスを受信すると、前記相互レスポンダ認証中状態につく、
請求項８又は１０に記載のレスポンダデバイス。
【請求項１２】
前記レスポンダメッセージユニットが、片側イニシエータ認証データを含む前記待機中相互認証確認をさらに分解し、
前記レスポンダステートマシンは、前記レスポンダプロセッサが前記片側イニシエータ認証データを正常に処理しないと、前記待機中状態につく、
請求項１１に記載のレスポンダデバイス。
【請求項１３】
前記レスポンダデバイスが、
前記イニシエータデバイスから前記イニシエータ公開鍵を取得するために前記レスポンダ帯域外アクションを実行するためにユーザ対話を適応させるスポンダユーザインターフェース
を備える、請求項７から１２のいずれか一項に記載のレスポンダデバイス。
【請求項１４】
請求項１から６のいずれか一項に記載のイニシエータデバイスと、請求項７から１３のいずれか一項に記載のレスポンダデバイスとを備える、ワイヤレス通信システム。
【請求項１５】
通信プロトコルに従うレスポンダデバイスとのワイヤレス通信のためにイニシエータデバイスにおいて使用するためのイニシエータ方法であって、
前記通信プロトコルが、
前記イニシエータデバイスによる前記レスポンダデバイスの片側認証、並びに
前記イニシエータデバイスによる前記レスポンダデバイスの及び前記レスポンダデバイスによる前記イニシエータデバイスの相互認証
のうちの１つである認証を適応させるための認証プロトコルを含み、
前記イニシエータ方法は、
ユーザ対話と前記レスポンダデバイスから受信されたメッセージとに応じて前記認証プロトコルに従ってイニシエータ状態を与えるステップであって、前記イニシエータ状態が、
イニシエータ帯域外アクションを介して前記レスポンダデバイスからレスポンダ公開鍵を取得することによるブートストラッピングのための初期状態と、
前記ブートストラッピングが前記レスポンダ公開鍵を取得することによって正常に実行されたことを示すブートストラップ済み状態と、
前記認証が正常に実行されたことを示す認証済み状態と
を含む、与えるステップと、
前記ブートストラップ済み状態で送られることになり、イニシエータ公開鍵を検証するためのイニシエータベリファイアと前記レスポンダ公開鍵を検証するためのレスポンダベリファイアとを含む認証要求を作成するステップと、
前記レスポンダ公開鍵に対応するレスポンダプライベート鍵に基づく片側レスポンダ認証データと、前記レスポンダデバイスがレスポンダ帯域外アクションを介して前記イニシエータデバイスから前記イニシエータ公開鍵を取得することを可能にするための前記相互認証が進行中であることを示す相互進行ステータスとを含む認証応答を分解するステップと、
待機中相互認証のために、前記相互進行ステータスを受信するとつくことになる、相互認証中状態を与えるステップと、
前記イニシエータ公開鍵と前記レスポンダプライベート鍵とに基づく相互レスポンダ認証データを含む相互認証応答を分解するステップと、
前記相互認証の確認を示す相互確認ステータスと、前記レスポンダ公開鍵と前記イニシエータ公開鍵に対応するイニシエータプライベート鍵とに基づく相互イニシエータ認証データとを含む相互認証確認を作成するステップと、
前記相互認証応答を受信し、前記レスポンダ公開鍵と前記イニシエータ公開鍵に対応するイニシエータプライベート鍵とに基づく前記相互レスポンダ認証データを正常に処理すると、前記認証済み状態につくステップと
を有する、イニシエータ方法。
【請求項１６】
通信プロトコルに従うイニシエータデバイスとのワイヤレス通信のためにレスポンダデバイスにおいて使用するためのレスポンダ方法であって、
前記通信プロトコルが、
前記イニシエータデバイスによる前記レスポンダデバイスの片側認証、並びに
前記イニシエータデバイスによる前記レスポンダデバイスの及び前記レスポンダデバイスによる前記イニシエータデバイスの相互認証
のうちの１つである認証を適応させるための認証プロトコルを含み、
前記レスポンダ方法は、
ユーザ対話と前記イニシエータデバイスから受信されたメッセージとに応じて前記認証プロトコルに従ってレスポンダ状態を与えるステップであって、前記レスポンダ状態が、
前記イニシエータデバイスからメッセージを受信するための待機中状態と、
前記認証が正常に実行されたことを示すレスポンダ認証済み状態と
を含む、与えるステップと、
レスポンダ公開鍵に対応するレスポンダプライベート鍵に基づく片側レスポンダ認証データと、前記相互認証が進行中であることを示す相互進行ステータスとを含む認証応答を作成するステップと、
前記レスポンダデバイスがレスポンダ帯域外アクションを介して前記イニシエータデバイスからイニシエータ公開鍵を取得することを可能にするための相互レスポンダ認証中状態を与えるステップと、
前記相互レスポンダ認証中状態で送られることになり、前記イニシエータ公開鍵と前記レスポンダ公開鍵に対応するレスポンダプライベート鍵とに基づく相互レスポンダ認証データを含む相互認証応答を作成するステップと、
イニシエータ公開鍵を検証するためのイニシエータベリファイアと前記レスポンダ公開鍵を検証するためのレスポンダベリファイアとを含む認証要求を分解するステップと、
前記認証要求を正常に処理すると、レスポンダ認証中状態につくステップと
を有する、レスポンダ方法。
【請求項１７】
前記レスポンダ方法は、
前記相互認証の確認を示す相互確認ステータスと、前記レスポンダ公開鍵と前記イニシエータ公開鍵に対応するイニシエータプライベート鍵とに基づく相互イニシエータ認証データとを含む相互認証確認を分解するステップと、
前記イニシエータ公開鍵と前記レスポンダプライベート鍵とに基づく前記相互イニシエータ認証データを正常に処理すると、前記レスポンダ認証済み状態につくステップと
をさらに有する、請求項１６に記載のレスポンダ方法。
【請求項１８】
ネットワークからダウンロード可能な、並びに／或いはコンピュータ可読媒体及び／又はマイクロプロセッサ実行可能媒体に記憶されたコンピュータプログラムであって、前記コンピュータプログラムは、コンピュータ上で実行されたときに請求項１５に記載のイニシエータ方法又は請求項１６に記載のレスポンダ方法のいずれかを実施するためのプログラムコード命令を含む、コンピュータプログラム。